(57)【要約】【課題】カップリングが第１回転方向とは逆方向の第２回転方向に回転するのを抑えることを目的とする。【解決手段】現像カートリッジ１０は、軸方向に延びる第１軸１２Ｘについて回転可能な現像ローラ１２と、軸方向に延びる第２軸２２Ｘについて回転可能なカップリング２２であって、現像ローラ１２を回転させるためのカップリング２２と、カップリング２２を回転可能に支持するシャフト２７Ｂと、カップリング２２が第１回転方向Ｄ１に回転する場合に、カップリング２２とともにシャフト２７Ｂについて回転可能なクラッチ４０であって、カップリング２２が第１回転方向Ｄ１と反対の第２回転方向Ｄ２に回転する場合には、クラッチ４０とシャフト２７Ｂの一部とが係合し、カップリング２２とともに第２回転方向Ｄ２へ回転しないクラッチ４０を備える。【選択図】図４
2018189680.tif 000002
【特許請求の範囲】
【請求項１】
軸方向に延びる第１軸について回転可能な現像ローラと、
前記軸方向に延びる第２軸について回転可能なカップリングであって、前記現像ローラを回転させるためのカップリングと、
前記カップリングを回転可能に支持するシャフトと、
前記カップリングが第１回転方向に回転する場合に、前記カップリングとともに前記シャフトについて回転可能なクラッチであって、前記カップリングが前記第１回転方向と反対の第２回転方向に回転する場合には、前記クラッチと前記シャフトの一部とが係合し、前記カップリングとともに前記第２回転方向へ回転しないクラッチと、を備えたことを特徴とする現像カートリッジ。
【請求項２】
前記クラッチは、前記シャフトの一部と係合する第１位置と、前記シャフトの前記一部との係合が解除された第２位置との間で移動可能となっていることを特徴とする請求項１に記載の現像カートリッジ。
【請求項３】
前記クラッチは、前記シャフトの一部と係合する第１位置と、前記シャフトの前記一部から前記軸方向に離れた第２位置との間で移動可能となっていることを特徴とする請求項１に記載の現像カートリッジ。
【請求項４】
前記クラッチは、前記シャフトに対して前記軸方向に移動可能であることを特徴とする請求項３に記載の現像カートリッジ。
【請求項５】
前記クラッチは、前記カップリングに対して前記軸方向に移動可能であることを特徴とする請求項３または請求項４に記載の現像カートリッジ。
【請求項６】
前記カップリングは、前記シャフトに対して前記軸方向に移動しないことを特徴とする請求項３から請求項５のいずれか１項に記載の現像カートリッジ。
【請求項７】
前記シャフトは、円筒形状であり、
前記クラッチは、前記シャフトの内周面に回転可能に支持されていることを特徴とする請求項３から請求項６のいずれか１項に記載の現像カートリッジ。
【請求項８】
前記シャフトは、
前記クラッチが前記第２回転方向へ回転する場合に、前記第２回転方向において前記クラッチと向かい合う第１シャフト面であって、前記クラッチと接触する第１シャフト面と、
前記クラッチが前記第１回転方向に回転する場合に、前記クラッチを前記第２位置に向けて移動させる第２シャフト面と、を備えることを特徴とする請求項３から請求項７のいずれか１項に記載の現像カートリッジ。
【請求項９】
前記クラッチが前記第１シャフト面と接触する場合に、前記第１シャフト面は、前記クラッチの前記第２回転方向への回転を停止することを特徴とする請求項８に記載の現像カートリッジ。
【請求項１０】
前記シャフトは、前記第１シャフト面と前記第２シャフト面とを有する第１突起を備えることを特徴とする請求項８または請求項９に記載の現像カートリッジ。
【請求項１１】
前記シャフトは、複数の前記第１突起を備え、
前記複数の第１突起は、前記カップリングの回転方向に並んでいることを特徴とする請求項１０に記載の現像カートリッジ。
【請求項１２】
前記クラッチは、前記第１シャフト面に接触する第１クラッチ面と、前記第２シャフト面に接触する第２クラッチ面とを備えることを特徴とする請求項８から請求項１１のいずれか１項に記載の現像カートリッジ。
【請求項１３】
前記クラッチは、前記第１クラッチ面と前記第２クラッチ面とを有する第２突起を備えることを特徴とする請求項１２に記載の現像カートリッジ。
【請求項１４】
前記クラッチは、複数の前記第２突起を備え、
前記複数の第２突起は、前記カップリングの回転方向に並んでいることを特徴とする請求項１３に記載の現像カートリッジ。
【請求項１５】
前記クラッチは、前記第１シャフト面に接触する第１クラッチ面と、前記第２シャフト面に接触する第２クラッチ面とを有する第２突起を複数備え、
前記カップリングが前記第１回転方向に回転する場合に、前記複数の第２突起の各第２クラッチ面が前記複数の第１突起の各第２シャフト面に接触することで、前記クラッチが前記第２位置に移動して、前記クラッチが前記カップリングとともに回転し、
前記カップリングが前記第２回転方向に回転する場合に、前記複数の第２突起の各第１クラッチ面が前記複数の第１突起の各第１シャフト面に接触することで、前記クラッチとともに前記カップリングの前記第２回転方向の回転が停止することを特徴とする請求項１１に記載の現像カートリッジ。
【請求項１６】
前記カップリングは、前記クラッチが前記第１回転方向に回転するときに前記クラッチを前記第２位置に向けて移動させる第１カップリング面を有することを特徴とする請求項８から請求項１５のいずれか１項に記載の現像カートリッジ。
【請求項１７】
前記第１カップリング面の前記軸方向の長さは、前記第２シャフト面の軸方向の長さよりも大きいことを特徴とする請求項１６に記載の現像カートリッジ。
【請求項１８】
前記クラッチは、前記第１カップリング面に接触する第３クラッチ面を有することを特徴とする請求項１６または請求項１７に記載の現像カートリッジ。
【請求項１９】
前記カップリングは、前記クラッチが前記第１回転方向に回転するときに前記クラッチを前記第２位置に向けて移動させる第２カップリング面を有し、
前記第２カップリング面は、前記第２軸を挟んで前記第１カップリング面とは反対側に位置することを特徴とする請求項１８に記載の現像カートリッジ。
【請求項２０】
前記クラッチは、前記第２カップリング面に接触する第４クラッチ面を有し、
前記第４クラッチ面は、前記第２軸を挟んで前記第３クラッチ面とは反対側に位置することを特徴とする請求項１９に記載の現像カートリッジ。
【請求項２１】
前記カップリングは、前記軸方向の一端に、駆動力を受ける凹部を有することを特徴とする請求項１から請求項２０のいずれか１項に記載の現像カートリッジ。
【請求項２２】
前記第１軸について前記現像ローラとともに回転可能な現像ギヤを備え、
前記カップリングは、前記現像ギヤと噛み合う第１ギヤを有することを特徴とする請求項１から請求項２１のいずれか１項に記載の現像カートリッジ。
【請求項２３】
前記軸方向に延びる第３軸について回転可能な供給ローラと、
前記第３軸について前記供給ローラとともに回転可能な供給ギヤと、を備え、
前記カップリングは、前記供給ギヤと噛み合う第２ギヤを有することを特徴とする請求項２２に記載の現像カートリッジ。
【請求項２４】
前記第１ギヤの径は、前記第２ギヤの径とは異なることを特徴とする請求項２３に記載の現像カートリッジ。
【請求項２５】
前記現像ローラの回転軸が挿入される穴を有する軸受部材を備え、
前記軸受部材は、前記シャフトを含むことを特徴とする請求項１から請求項２４のいずれか１項に記載の現像カートリッジ。
【請求項２６】
前記軸受部材は、前記現像ローラの前記軸方向における端部に位置する現像剤受け部を有することを特徴とする請求項２５に記載の現像カートリッジ。
【請求項２７】
現像剤を収容可能な筐体を備えることを特徴とする請求項１から請求項２６のいずれか１項に記載の現像カートリッジ。
【請求項２８】
前記現像カートリッジは、感光体ドラムと、前記現像ローラを前記感光体ドラムに押圧する押圧部材とを備えたドラムカートリッジに装着可能であり、
前記押圧部材によって前記現像ローラが前記感光体ドラムに押圧された状態において前記カップリングが前記第１回転方向に回転する場合に、前記カップリングとともに前記クラッチが回転し、
前記押圧部材によって前記現像ローラが前記感光体ドラムに押圧された状態において前記カップリングが前記第２回転方向に回転する場合に、前記カップリングとともに前記クラッチが回転しないことを特徴とする請求項１から請求項２７のいずれか１項に記載の現像カートリッジ。
【発明の詳細な説明】
【技術分野】
【０００１】
本開示は、駆動力が入力されるカップリングを備える現像カートリッジに関する。
【背景技術】
【０００２】
従来、現像カートリッジとして、現像ローラと、カップリングとを備えたものが知られている（特許文献１参照）。
【先行技術文献】
【特許文献】
【０００３】
【特許文献１】特開２０１５−１２９８０６号公報
【発明の概要】
【発明が解決しようとする課題】
【０００４】
例えば、現像カートリッジが画像形成装置に装着されたときに、カップリングは、画像形成装置から駆動力を受け、カップリングは第１回転方向に回転する。そして、カップリングの第１回転方向の回転に従って、現像ローラは回転する。これにより、画像形成装置は、画像形成することができる。この場合、カップリングが、第１回転方向とは逆方向の第２回転方向に回転すると、現像ローラが、画像形成装置が画像形成するときとは逆方向に回転してしまい、現像剤が漏れるおそれがあった。
【０００５】
そこで、本開示は、カップリングが第１回転方向とは逆方向の第２回転方向に回転するのを抑えることを目的とする。
【課題を解決するための手段】
【０００６】
前記課題を解決するため、本発明に係る現像カートリッジは、軸方向に延びる第１軸について回転可能な現像ローラと、前記軸方向に延びる第２軸について回転可能なカップリングであって、前記現像ローラを回転させるためのカップリングと、前記カップリングを回転可能に支持するシャフトと、前記カップリングが第１回転方向に回転する場合に、前記カップリングとともに前記シャフトについて回転可能なクラッチであって、前記カップリングが前記第１回転方向と反対の第２回転方向に回転する場合には、前記クラッチと前記シャフトの一部とが係合し、前記カップリングとともに前記第２回転方向へ回転しないクラッチと、を備える。
【０００７】
この構成によれば、カップリングを第１回転方向に回転させる場合には、クラッチがカップリングとともに回転する。また、カップリングを第２回転方向に回転させる場合には、クラッチがシャフトの一部と係合することで、カップリングがクラッチとともに第２回転方向へ回転しない。そのため、カップリングが所定の回転方向（第１回転方向）とは逆方向（第２回転方向）に回転するのを抑えることができる。
【０００８】
また、前記クラッチは、前記シャフトの一部と係合する第１位置と、前記シャフトの前記一部との係合が解除された第２位置との間で移動可能となっていてもよい。
【０００９】
また、前記クラッチは、前記シャフトの一部と係合する第１位置と、前記シャフトの前記一部から前記軸方向に離れた第２位置との間で移動可能となっていてもよい。
【００１０】
また、前記クラッチは、前記シャフトに対して前記軸方向に移動可能であってもよい。
【００１１】
また、前記クラッチは、前記カップリングに対して前記軸方向に移動可能であってもよい。
【００１２】
また、前記カップリングは、前記シャフトに対して前記軸方向に移動しなくてもよい。
【００１３】
また、前記シャフトは、円筒形状であり、前記クラッチは、前記シャフトの内周面に回転可能に支持されていてもよい。
【００１４】
また、前記シャフトは、前記クラッチが前記第２回転方向へ回転する場合に、前記第２回転方向において前記クラッチと向かい合う第１シャフト面であって、前記クラッチと接触する第１シャフト面と、前記クラッチが前記第１回転方向に回転する場合に、前記クラッチを前記第２位置に向けて移動させる第２シャフト面と、を備えていてもよい。
【００１５】
また、前記クラッチが前記第１シャフト面と接触する場合に、前記第１シャフト面は、前記クラッチの前記第２回転方向への回転を停止させてもよい。
【００１６】
また、前記シャフトは、前記第１シャフト面と前記第２シャフト面とを有する第１突起を備えていてもよい。
【００１７】
また、前記シャフトは、複数の前記第１突起を備え、前記複数の第１突起は、前記カップリングの回転方向に並んでいてもよい。
【００１８】
また、前記クラッチは、前記第１シャフト面に接触する第１クラッチ面と、前記第２シャフト面に接触する第２クラッチ面とを備えていてもよい。
【００１９】
また、前記クラッチは、前記第１クラッチ面と前記第２クラッチ面とを有する第２突起を備えていてもよい。
【００２０】
また、前記クラッチは、複数の前記第２突起を備え、前記複数の第２突起は、前記カップリングの回転方向に並んでいてもよい。
【００２１】
また、前記クラッチは、前記第１シャフト面に接触する第１クラッチ面と、前記第２シャフト面に接触する第２クラッチ面とを有する第２突起を複数備え、前記カップリングが前記第１回転方向に回転する場合に、前記複数の第２突起の各第２クラッチ面が前記複数の第１突起の各第２シャフト面に接触することで、前記クラッチが前記第２位置に移動して、前記クラッチが前記カップリングとともに回転し、前記カップリングが前記第２回転方向に回転する場合に、前記複数の第２突起の各第１クラッチ面が前記複数の第１突起の各第１シャフト面に接触することで、前記クラッチとともに前記カップリングの前記第２回転方向の回転が停止してもよい。
【００２２】
これによれば、複数の第２突起の各第１クラッチ面が複数の第１突起の各第１シャフト面に接触することで、カップリングおよびクラッチの回転が止められるので、カップリングの回転を良好に止めることができる。
【００２３】
また、前記カップリングは、前記クラッチが前記第１回転方向に回転するときに前記クラッチを前記第２位置に向けて移動させる第１カップリング面を有していてもよい。
【００２４】
また、前記第１カップリング面の前記軸方向の長さは、前記第２シャフト面の軸方向の長さよりも大きくてもよい。
【００２５】
これによれば、クラッチを第１突起から軸方向に離すことができるので、カップリングをクラッチとともに第１回転方向に回転させる場合において、クラッチの第２突起とシャフトの第１突起とが干渉するのを抑えることができる。
【００２６】
また、前記クラッチは、前記第１カップリング面に接触する第３クラッチ面を有していてもよい。
【００２７】
また、前記カップリングは、前記クラッチが前記第１回転方向に回転するときに前記クラッチを前記第２位置に向けて移動させる第２カップリング面を有し、前記第２カップリング面は、前記第２軸を挟んで前記第１カップリング面とは反対側に位置していてもよい。
【００２８】
これによれば、第２軸を挟んで配置される２つのカップリング面によって、クラッチを第２位置に向けて良好に移動させることができる。
【００２９】
また、前記クラッチは、前記第２カップリング面に接触する第４クラッチ面を有し、前記第４クラッチ面は、前記第２軸を挟んで前記第３クラッチ面とは反対側に位置していてもよい。
【００３０】
また、前記カップリングは、前記軸方向の一端に、駆動力を受ける凹部を有していてもよい。
【００３１】
また、前記第１軸について前記現像ローラとともに回転可能な現像ギヤを備え、前記カップリングは、前記現像ギヤと噛み合う第１ギヤを有していてもよい。
【００３２】
また、前記軸方向に延びる第３軸について回転可能な供給ローラと、前記第３軸について前記供給ローラとともに回転可能な供給ギヤと、を備え、前記カップリングは、前記供給ギヤと噛み合う第２ギヤを有していてもよい。
【００３３】
また、前記第１ギヤの径は、前記第２ギヤの径とは異なっていてもよい。
【００３４】
また、前記現像ローラの回転軸が挿入される穴を有する軸受部材を備え、前記軸受部材は、前記シャフトを含んでいてもよい。
【００３５】
また、前記軸受部材は、前記現像ローラの前記軸方向における端部に位置する現像剤受け部を有していてもよい。
【００３６】
また、前記現像カートリッジは、現像剤を収容可能な筐体を備えていてもよい。
【００３７】
また、前記現像カートリッジは、感光体ドラムと、前記現像ローラを前記感光体ドラムに押圧する押圧部材とを備えたドラムカートリッジに装着可能であってもよい。
この場合、前記押圧部材によって前記現像ローラが前記感光体ドラムに押圧された状態において前記カップリングが前記第１回転方向に回転する場合に、前記カップリングとともに前記クラッチが回転する。
また、前記押圧部材によって前記現像ローラが前記感光体ドラムに押圧された状態において前記カップリングが前記第２回転方向に回転する場合に、前記カップリングとともに前記クラッチが回転しない。
【００３８】
これによれば、押圧部材によって現像ローラが感光体ドラムに押圧された状態においても、カップリングを第１回転方向に回転させ、かつ、第２回転方向には回転させないようにすることができる。
【発明の効果】
【００３９】
本発明によれば、カップリングが所定の回転方向とは逆方向に回転するのを抑えることができる。
【図面の簡単な説明】
【００４０】
【図１】本開示の実施形態の現像カートリッジを備えるプリンタの概略構成を示す図である。
【図２】現像カートリッジの筐体の構成を示す断面図である。
【図３】現像カートリッジの第１方向の一方側を示す斜視図である。
【図４】筐体の第１方向の一方側の部品を分解して示す斜視図である。
【図５】現像カートリッジの第１方向の他方側を示す斜視図である。
【図６】第１軸受部材を第１方向の一方側から見た斜視図である。
【図７】クラッチを第１方向の一方側から見た斜視図（ａ）と、第１方向の他方側から見た斜視図（ｂ）である。
【図８】カップリングを第１方向の一方側から見た斜視図（ａ）と、第１方向の他方側から見た斜視図（ｂ）および平面図（ｃ）と、カップリングの第１突出片を回転方向に沿った面で切ったＸ−Ｘ断面図（ｄ）である。
【図９】クラッチが第１位置に位置するときのカップリング、クラッチおよびシャフトの各部位の関係を示す図（ａ），（ｂ）である。
【図１０】クラッチが第２位置に位置するときのカップリング、クラッチおよびシャフトの各部位の関係を示す図（ａ），（ｂ）である。
【発明を実施するための形態】
【００４１】
次に、本開示の実施形態について、図面を参照しながら詳細に説明する。
【００４２】
図１に示すように、レーザプリンタ１は、本体筐体２と、給紙部３と、画像形成部４と、制御装置ＣＵを主に備える。
【００４３】
本体筐体２は、フロントカバー２Ａと、本体筐体２の上部に位置する排紙トレイ２Ｂとを有している。本体筐体２は、内部に給紙部３、画像形成部４を備える。フロントカバー２Ａを開くことで、現像カートリッジ１０が着脱可能に装着される。
【００４４】
給紙部３は、用紙Ｓを収容している。そして、給紙部３は、画像形成部４に用紙Ｓを１枚ずつ供給する。
【００４５】
画像形成部４は、プロセスカートリッジ４Ａと、図示省略した露光装置と、転写ローラ４Ｂと、定着器４Ｃとを含む。
【００４６】
プロセスカートリッジ４Ａは、ドラムカートリッジ５と、現像カートリッジ１０とを含む。現像カートリッジ１０は、ドラムカートリッジ５に対して着脱可能である。なお、現像カートリッジ１０は、現像カートリッジ１０がドラムカートリッジ５に装着された状態で、プロセスカートリッジ４Ａとして、レーザプリンタ１に着脱される。ドラムカートリッジ５は、フレーム５Ａと、フレーム５Ａに回転可能に支持された感光体ドラム５Ｂとを備える。
【００４７】
図２に示すように、現像カートリッジ１０は、筐体１１と、現像ローラ１２と、供給ローラ１３と、アジテータ１４とを備える。
【００４８】
筐体１１は、容器１１Ａと、蓋１１Ｂとを含む。筐体１１の容器１１Ａには内部にトナーＴを収容可能である。なお、トナーＴは、現像剤の一例である。
【００４９】
現像ローラ１２は、第１方向に延びる現像ローラシャフト１２Ａと、ローラ部１２Ｂとを含む。なお、第１方向は、現像ローラ１２の軸方向であり、以下、単に軸方向ともいう。ローラ部１２Ｂは、現像ローラシャフト１２Ａの外周面を覆う。ローラ部１２Ｂは、導電性のゴムなどからなる。現像ローラ１２は、現像ローラシャフト１２Ａを中心に回転可能である。他の言い方をすれば、現像ローラ１２は、軸方向に延びる第１軸１２Ｘについて回転可能である。現像ローラ１２は、現像ローラシャフト１２Ａを中心に回転可能に筐体１１に支持されている。つまり、ローラ部１２Ｂは、現像ローラシャフト１２Ａとともに回転可能である。現像ローラ１２は、制御装置ＣＵから現像バイアスが印加される。
【００５０】
筐体１１の容器１１Ａと蓋１１Ｂとは、第２方向において互いに向かい合っている。第２方向は、第１方向に交差する方向である。好ましくは、第２方向は、第１方向と直交する。現像ローラ１２は、第３方向における筐体１１の一端部に位置する。第３方向は、第１方向および第２方向に交差する。好ましくは、第３方向は、第１方向および第２方向と直交する。
【００５１】
供給ローラ１３は、第１方向に延びる供給ローラシャフト１３Ａと、ローラ部１３Ｂとを含む。ローラ部１３Ｂは、供給ローラシャフト１３Ａの外周面を覆う。ローラ部１３Ｂは、スポンジなどからなる。供給ローラ１３は、供給ローラシャフト１３Ａを中心に回転可能である。他の言い方をすれば、供給ローラ１３は、軸方向に延びる第３軸１３Ｘについて回転可能である。ローラ部１３Ｂは、供給ローラシャフト１３Ａとともに回転可能である。
【００５２】
アジテータ１４は、アジテータシャフト１４Ａと、可撓性シート１４Ｂとを含む。アジテータシャフト１４Ａは、第１方向に延びる第４軸１４Ｘについて回転可能である。アジテータシャフト１４Ａは、第４軸１４Ｘについて回転可能に筐体１１に支持されている。アジテータ１４は、後述するカップリング２２とともに回転可能である。可撓性シート１４Ｂは、基端がアジテータシャフト１４Ａに固定され、先端が筐体１１の内面と接触可能に構成されている。アジテータ１４は、回転する可撓性シート１４ＢによりトナーＴを撹拌可能である。
【００５３】
ドラムカートリッジ５は、押圧部材５Ｃと、付勢部材５Ｄとを備える。押圧部材５Ｃは、現像ローラ１２を感光体ドラム５Ｂに押圧する。付勢部材５Ｄは、押圧部材５Ｃを感光体ドラム５Ｂに向けて付勢する。
【００５４】
また、図１に示すように、転写ローラ４Ｂは、感光体ドラム５Ｂと向かい合う。転写ローラ４Ｂは、感光体ドラム５Ｂとの間で用紙Ｓを挟みながら搬送する。
【００５５】
感光体ドラム５Ｂは、図示しない帯電器により帯電され、露光装置に露光されることで静電潜像が形成される。現像カートリッジ１０は、この静電潜像にトナーＴを供給して感光体ドラム５Ｂ上にトナー像を形成する。給紙部３から供給された用紙Ｓは、感光体ドラム５Ｂと転写ローラ４Ｂの間を通りながら感光体ドラム５Ｂ上のトナー像が転写される。
【００５６】
定着器４Ｃは、用紙Ｓに転写されたトナー像を、用紙Ｓに熱定着する。トナー像が熱定着された用紙Ｓは、本体筐体２の外の排紙トレイ２Ｂに排出される。
【００５７】
制御装置ＣＵは、レーザプリンタ１全体の動作を制御する装置である。
【００５８】
レーザプリンタ１は、センサ７を備える。センサ７は、現像カートリッジ１０が新品であるか否か、または、現像カートリッジ１０の仕様を検知するためのセンサである。センサ７は、本体筐体２に揺動可能に支持されたレバー７Ａと、光センサ７Ｂとを備える。レバー７Ａは、後述する検知ギヤ２００とともに回転可能な突起などと接触可能な位置に位置している。光センサ７Ｂは、制御装置ＣＵと接続され、検出信号を制御装置ＣＵに出力する。制御装置ＣＵは、光センサ７Ｂから受ける信号に応じて現像カートリッジ１０の仕様等を判別可能に構成されている。光センサ７Ｂは、レバー７Ａの変位を検出し、検出信号を制御装置ＣＵへ送信する。より詳細には、光センサ７Ｂには、例えば、投光部と受光部とを含むセンサユニットが用いられる。
【００５９】
次に、現像カートリッジ１０の詳細構成について説明する。
図３および図４に示すように、現像カートリッジ１０は、筐体１１の第１方向における一方側に、第１ギヤカバー２１と、カップリング２２と、現像ギヤ２３と、供給ギヤ２４と、第１アジテータギヤ２５と、アイドルギヤ２６と、軸受部材の一例としての第１軸受部材２７と、クラッチ４０と、キャップ２８とを備えている。
【００６０】
第１ギヤカバー２１は、アイドルギヤ２６を図示しないシャフトにより支持するとともに、筐体１１の一方側に位置する少なくとも１つのギヤを覆うカバーである。第１ギヤカバー２１は、スクリュー２９により外表面１１Ｃに固定される。外表面１１Ｃは、筐体１１の第１方向における一方側の外表面１１Ｃである。
なお、本明細書において、「ギヤ」は、ギヤ歯を有してギヤ歯によって回転力を伝達するものに限られず、摩擦伝達によって回転力を伝達するものを含む。また、摩擦伝達によって回転力を伝達する部材においては、歯先円は、摩擦伝達面を通る円とする。
【００６１】
カップリング２２は、現像ローラ１２などを回転させるための部材である。カップリング２２は、軸方向に延びる第２軸２２Ｘについて回転可能である。カップリング２２は、第１方向における筐体１１の一方側に位置する。つまり、カップリング２２は、外表面１１Ｃに位置する。カップリング２２は、駆動力を受けることにより第１回転方向Ｄ１に回転可能である。詳細には、カップリング２２は、レーザプリンタ１から駆動力を受けることができる。カップリング２２は、図示しないレーザプリンタ１が含む駆動部材と係合することで回転可能である。カップリング２２は、軸方向の一端に、第１方向に凹む第１凹部２２Ａを有する。第１凹部２２Ａは、駆動部材を受け、駆動部材と係合可能である。より詳細には、第１凹部２２Ａは、レーザプリンタ１の駆動部材と係合し駆動力を受けることができる。
【００６２】
カップリング２２は、現像ギヤ２３と噛み合う第１ギヤ２２Ｂと、供給ギヤ２４と噛み合う第２ギヤ２２Ｃとを有する。第１ギヤ２２Ｂの径は、第２ギヤ２２Ｃの径とは異なっている。詳しくは、第１ギヤ２２Ｂの径は、第２ギヤ２２Ｃの径よりも大きい。
【００６３】
現像ギヤ２３は、現像ローラシャフト１２Ａに装着されている。現像ギヤ２３は、第１軸１２Ｘについて、現像ローラ１２とともに回転可能である。現像ギヤ２３は、第１方向における筐体１１の一方側に位置する。つまり、現像ギヤ２３は、外表面１１Ｃに位置する。
【００６４】
供給ギヤ２４は、供給ローラシャフト１３Ａに装着されている。供給ギヤ２４は、第３軸１３Ｘについて、供給ローラ１３とともに回転可能である。供給ギヤ２４は、第１方向における筐体１１の一方側に位置する。つまり、供給ギヤ２４は、外表面１１Ｃに位置する。
【００６５】
第１アジテータギヤ２５は、第１方向における筐体１１の一方側に位置する。つまり、第１アジテータギヤ２５は、外表面１１Ｃに位置する。第１アジテータギヤ２５は、アジテータ１４のアジテータシャフト１４Ａに装着されている。第１アジテータギヤ２５は、カップリング２２の回転に従ってアジテータ１４とともに回転可能である。
【００６６】
アイドルギヤ２６は、第１方向における筐体１１の一方側に位置する。つまり、アイドルギヤ２６は、外表面１１Ｃに位置する。アイドルギヤ２６は、カップリング２２の第１ギヤ２２Ｂと係合する大径部２６Ａと、第１アジテータギヤ２５のギヤ歯と係合する小径部２６Ｂとを含む。アイドルギヤ２６は、第１ギヤカバー２１の図示しないシャフトによって回転可能に支持されている。アイドルギヤ２６は、カップリング２２の回転を減速して第１アジテータギヤ２５に伝達する。なお、第１方向において、大径部２６Ａは、小径部２６Ｂよりも筐体１１から離れている。
【００６７】
キャップ２８は、現像ローラシャフト１２Ａの第１方向における一方側の端部を覆っている。なお、第１ギヤカバー２１と、キャップ２８とは、異なる種類の樹脂により作られてもよい。
【００６８】
第１軸受部材２７は、カップリング２２、クラッチ４０、現像ギヤ２３および供給ギヤ２４を軸支する部材である。第１軸受部材２７は、筐体１１の第１方向における一方側に固定されている。第１軸受部材２７は、ベース部２７Ａと、シャフト２７Ｂと、現像剤受け部２７Ｃとを有している。シャフト２７Ｂは、ベース部２７Ａから第１方向の一方側に突出する。現像剤受け部２７Ｃは、ベース部２７Ａの第３方向における一方側の端部から第１方向の他方側に突出する。
【００６９】
ベース部２７Ａは、第１穴Ｈ１と、第２穴Ｈ２とを有している。現像ローラ１２の回転軸である現像ローラシャフト１２Ａは、第１穴Ｈ１に挿入される。供給ローラシャフト１３Ａは、第２穴Ｈ２に挿入される。第１穴Ｈ１は、穴の一例である。
【００７０】
シャフト２７Ｂは、円筒形状である。シャフト２７Ｂは、カップリング２２とクラッチ４０を回転可能に支持している。詳しくは、シャフト２７Ｂの外周面Ｂ１１（図６参照）は、カップリング２２を回転可能に支持している。シャフト２７Ｂの内周面Ｂ１２（図６参照）は、クラッチ４０を回転可能に支持している。詳しくは、シャフト２７Ｂは、軸方向に凹むまたは貫通する穴Ｂ１３（図６参照）を有する。クラッチ４０は、穴Ｂ１３の中に位置する。これにより、穴Ｂ１３の内周面Ｂ１２に沿って、クラッチ４０が回転する。つまり、クラッチ４０は、カップリング２２とともにシャフト２７Ｂについて回転可能となっている。
【００７１】
クラッチ４０は、カップリング２２の第１回転方向Ｄ１（図示時計回り）への回転を許容する機能を有している。また、クラッチ４０は、第１回転方向Ｄ１とは反対の第２回転方向Ｄ２へのカップリング２２の回転を止める機能を有している。具体的に、図９および図１０に示すように、クラッチ４０は、カップリング２２とともに回転可能であるとともに、シャフト２７Ｂに対して軸方向に移動可能となっている。クラッチ４０は、シャフト２７Ｂの一部（後述する第１突起Ｐ１）と回転方向で係合する第１位置と、シャフト２７Ｂの一部との係合が解除された第２位置との間で移動可能となっている。言い換えると、クラッチ４０は、シャフト２７Ｂの一部と係合する第１位置と、シャフト２７Ｂの一部から軸方向に離れた第２位置との間で移動可能となっている。
【００７２】
そして、カップリング２２が第１回転方向Ｄ１に回転する場合には、クラッチ４０が第２位置に位置することで、カップリング２２はクラッチ４０とともに回転する。また、カップリング２２が第２回転方向Ｄ２に回転する場合には、クラッチ４０が第１位置に移動することで、クラッチ４０がシャフト２７Ｂの一部と係合する。これにより、シャフト２７Ｂの一部によってクラッチ４０の回転が止められるので、クラッチ４０とともに回転していたカップリング２２が、それ以上第２回転方向Ｄ２へ回転しない。
【００７３】
なお、カップリング２２は、第１ギヤカバー２１に接触することによって、シャフト２７Ｂに対して筐体１１の外表面１１Ｃから離れる方向に移動しない。ここで、「カップリング２２がシャフト２７Ｂに対して移動しない」とは、全く動かないことを意味する他、ガタツキによって若干動くことも意味する。そして、前述したクラッチ４０は、カップリング２２に対しても、軸方向に移動可能となっている。
【００７４】
図５に示すように、現像剤受け部２７Ｃは、現像ローラ１２の軸方向における端部に位置している。詳しくは、現像剤受け部２７Ｃは、現像ローラ１２のローラ部１２Ｂの軸方向における端部に位置している。現像剤受け部２７Ｃは、軸方向に直交する面で切った断面形状が、Ｖ形状となっている。
【００７５】
現像カートリッジ１０は、筐体１１の第１方向における他方側に、第２ギヤカバー３１と、第２アジテータギヤ１００と、検知ギヤ２００と、第２軸受部材３４と、現像電極３５と、供給電極３６とを備える。
【００７６】
第２ギヤカバー３１は、検知ギヤ２００の少なくとも一部を覆うカバーである。第２ギヤカバー３１は、筐体１１の容器１１Ａの第１方向における他方側の外表面に位置する。第２ギヤカバー３１は、開口３１Ａを有する。開口３１Ａにより、検知ギヤ２００の一部が露出される。
【００７７】
第２アジテータギヤ１００は、第１方向における筐体１１の他方側に位置する。つまり、第２アジテータギヤ１００は、筐体１１の容器１１Ａの第１方向における他方側の外表面に位置する。第２アジテータギヤ１００は、アジテータシャフト１４Ａ（図２参照）に装着される。これにより、第２アジテータギヤ１００は、アジテータ１４のアジテータシャフト１４Ａとともに、軸方向に延びる第４軸１４Ｘについて回転可能である。
【００７８】
検知ギヤ２００は、第１方向における筐体１１の他方側に位置する。検知ギヤ２００は、第２アジテータギヤ１００と係合したときに第２アジテータギヤ１００とともに回転可能である。
【００７９】
検知ギヤ２００は、センサ７のレバー７Ａ（図１参照）と当接可能な検知突起２６１を複数有している。なお、検知突起２６１の数や位置を、現像カートリッジ１０の仕様に応じて変更することで、様々な仕様の現像カートリッジ１０を制御装置ＣＵで判別することが可能となっている。
【００８０】
第２軸受部材３４は、現像ローラシャフト１２Ａおよび供給ローラシャフト１３Ａを回転可能に支持する。第２軸受部材３４は、現像ローラシャフト１２Ａおよび供給ローラシャフト１３Ａを支持した状態で、筐体１１の容器１１Ａの第１方向における他方側の外表面に固定されている。
【００８１】
現像電極３５は、第１方向における筐体１１の他方側に位置し、現像ローラシャフト１２Ａに電力を供給する。現像電極３５は、例えば、導電性樹脂からなる。
【００８２】
供給電極３６は、第１方向における筐体１１の他方側に位置し、供給ローラシャフト１３Ａに電力を供給する。供給電極３６は、例えば、導電性樹脂からなる。
【００８３】
現像電極３５および供給電極３６は、第２軸受部材３４とともに、筐体１１の第１方向における他方側の外表面にスクリュー３８により固定されている。
【００８４】
図６に示すように、シャフト２７Ｂは、円筒壁Ｂ１と、底壁部Ｂ２と、複数の第１突起Ｐ１とを備えている。円筒壁Ｂ１は、円筒状である。円筒壁Ｂ１は、外周面Ｂ１１と、内周面Ｂ１２を備える。底壁部Ｂ２は、円筒壁Ｂ１の軸方向における一端側に位置する。底壁部Ｂ２は、円板形状である。底壁部Ｂ２は、孔Ｂ３を有する。孔Ｂ３は、底壁部Ｂ２の中心を、第１方向に貫通する。
【００８５】
複数の第１突起Ｐ１は、底壁部Ｂ２から円筒壁Ｂ１の軸方向における他端側に向けて突出している。複数の第１突起Ｐ１は、カップリング２２の回転方向に並んでいる。複数の第１突起Ｐ１は、環状に並んでいる。複数の第１突起Ｐ１は、円筒壁Ｂ１の穴Ｂ１３の内部に位置する。複数の第１突起Ｐ１は、円筒壁Ｂ１の軸方向における一端側に位置する。各第１突起Ｐ１は、第１方向に沿った第１シャフト面ＦＳ１と、第１方向に対して傾斜する第２シャフト面ＦＳ２とを有している。
【００８６】
第１シャフト面ＦＳ１は、クラッチ４０の第２回転方向Ｄ２への回転を停止するための面である。第１シャフト面ＦＳ１は、クラッチ４０の回転方向に対して交差している。より好ましくは、第１シャフト面ＦＳ１は、クラッチ４０の回転方向に対して直交している。第１シャフト面ＦＳ１は、クラッチ４０が第２回転方向Ｄ２へ回転する場合に、第２回転方向Ｄ２においてクラッチ４０（詳しくは、後述する第１クラッチ面ＦＣ１：図７参照）と向かい合って接触する。
【００８７】
第２シャフト面ＦＳ２は、クラッチ４０が第１回転方向Ｄ１に回転する場合に、クラッチ４０を第１位置から第２位置に向けて移動させるための面である。第２シャフト面ＦＳ２は、クラッチ４０の回転方向に対して傾斜している。詳しくは、第２シャフト面ＦＳ２は、第１回転方向Ｄ１に向かうにつれて円筒壁Ｂ１の軸方向における他端側へ位置するように傾斜している。
【００８８】
図７（ａ），（ｂ）に示すように、クラッチ４０は、円板状のベース部４１と、複数の第２突起Ｐ２と、軸部４２、第１壁４３、第１円弧壁４４、第２壁４５および第２円弧壁４６とを有している。複数の第２突起Ｐ２は、クラッチ４０の軸方向において、ベース部４１の一方側の面から突出する。軸部４２、第１壁４３、第１円弧壁４４、第２壁４５および第２円弧壁４６は、クラッチ４０の軸方向において、ベース部４１の他方側の面から突出する。
【００８９】
複数の第２突起Ｐ２は、カップリング２２の回転方向に並んでいる。複数の第２突起Ｐ２は、環状に並んでいる。各第２突起Ｐ２は、第１クラッチ面ＦＣ１と、第２クラッチ面ＦＣ２とを有している。第１クラッチ面ＦＣ１は、第１方向に沿っている。第２クラッチ面ＦＣ２は、第１方向に対して傾斜する。
【００９０】
第１クラッチ面ＦＣ１は、クラッチ４０の第２回転方向Ｄ２への回転を停止するための面である。第１クラッチ面ＦＣ１は、クラッチ４０の回転方向に対して交差している。より好ましくは、第１クラッチ面ＦＣ１は、クラッチ４０の回転方向に対して直交している。第１クラッチ面ＦＣ１は、第１シャフト面ＦＳ１（図６参照）に接触する。詳しくは、第１クラッチ面ＦＣ１は、第１シャフト面ＦＳ１に面接触する。
【００９１】
第２クラッチ面ＦＣ２は、クラッチ４０が第１回転方向Ｄ１に回転する場合に、クラッチ４０を第１位置から第２位置に向けて移動させるための面である。第２クラッチ面ＦＣ２は、クラッチ４０の回転方向に対して傾斜している。詳しくは、第２クラッチ面ＦＣ２は、第１回転方向Ｄ１に向かうにつれてベース部４１に近づくように傾斜している。第２クラッチ面ＦＣ２は、第２シャフト面ＦＳ２（図６参照）に接触する。詳しくは、第２クラッチ面ＦＣ２は、第２シャフト面ＦＳ２に面接触する。
【００９２】
軸部４２は、ベース部４１の中心からクラッチ４０の軸方向における他方側へ向けて延びている。軸部４２は、円筒形状を有する。
【００９３】
第１壁４３は、軸部４２から径方向外側に向けて延びている。第１壁４３は、第１面４３Ａと、第２面４３Ｂを有する。第１面４３Ａおよび第２面４３Ｂは、回転方向に対して直交している。第１面４３Ａは、第２回転方向Ｄ２の下流側を向いている。第２面４３Ｂは、第２回転方向Ｄ２の上流側を向いている。第１面４３Ａは、第３突起４７を有する。第３突起４７は、第１面４３Ａから突出する。第３突起４７は、軸部４２の外周面に沿って延びている。第３突起４７は、第３クラッチ面ＦＣ３を有している。
【００９４】
第３クラッチ面ＦＣ３は、カップリング２２が第１回転方向Ｄ１に回転する場合に、クラッチ４０を第１位置から第２位置に向けて移動させるための面である。第３クラッチ面ＦＣ３は、クラッチ４０の回転方向に対して傾斜している。詳しくは、第３クラッチ面ＦＣ３は、第１回転方向Ｄ１に向かうにつれてベース部４１に近づくように傾斜している。第３クラッチ面ＦＣ３は、カップリング２２が第１回転方向Ｄ１に回転する場合に、後述する第１カップリング面ＦＰ１（図１０（ｂ）参照）に接触する。
【００９５】
第１円弧壁４４は、第１壁４３の径方向外側の端部から第２回転方向Ｄ２に向けて延びている。第１円弧壁４４は、第２軸２２Ｘを中心とした円弧形状となっている。第１円弧壁４４の外周面とベース部４１の外周面は、面一となっている。第１円弧壁４４の外周面とベース部４１の外周面は、シャフト２７Ｂの内周面Ｂ１２（図６参照）に回転可能に支持される。詳しくは、第１円弧壁４４の外周面とベース部４１の外周面は、第２軸２２Ｘを中心とした円筒状の面である。また、内周面Ｂ１２は、第２軸２２Ｘを中心とした円筒状の面である。第１円弧壁４４の外周面とベース部４１の外周面は、シャフト２７Ｂの内周面Ｂ１２に面接触している。これにより、クラッチ４０が、第２軸２２Ｘを中心に回転しながら、第２軸２２Ｘに沿った方向に移動する。
【００９６】
第２壁４５は、第２軸２２Ｘに対して第１壁４３とは反対側に位置する。第２壁４５は、軸部４２から径方向外側に向けて延びている。第２壁４５は、第３面４５Ａと、第４面４５Ｂを有する。第３面４５Ａおよび第４面４５Ｂは、回転方向に対して直交している。第３面４５Ａは、第２回転方向Ｄ２の下流側を向いている。第４面４５Ｂは、第２回転方向Ｄ２の上流側を向いている。第３面４５Ａは、第４突起４８を有する。第４突起４８は、第３面４５Ａから突出する。第４突起４８は、軸部４２の外周面に沿って延びている。第４突起４８は、第４クラッチ面ＦＣ４を有している。
【００９７】
第４クラッチ面ＦＣ４は、カップリング２２が第１回転方向Ｄ１に回転する場合に、クラッチ４０を第１位置から第２位置に向けて移動させるための面である。第４クラッチ面ＦＣ４は、クラッチ４０の回転方向に対して傾斜している。詳しくは、第４クラッチ面ＦＣ４は、第１回転方向Ｄ１に向かうにつれてベース部４１に近づくように傾斜している。第４クラッチ面ＦＣ４は、カップリング２２が第１回転方向Ｄ１に回転する場合に、後述する第２カップリング面ＦＰ２（図８（ｃ），（ｄ）参照）に接触する。第４クラッチ面ＦＣ４は、第２軸２２Ｘに対して第３クラッチ面ＦＣ３とは反対側に位置する。
【００９８】
第２円弧壁４６は、第２壁４５の径方向外側の端部から第２回転方向Ｄ２に向けて延びている。第２円弧壁４６は、第２軸２２Ｘを中心とした円弧形状となっている。第２円弧壁４６の外周面とベース部４１の外周面は、面一となっている。第２円弧壁４６の外周面とベース部４１の外周面は、シャフト２７Ｂの内周面Ｂ１２（図６参照）に回転可能に支持される。つまり、第２円弧壁４６の外周面とベース部４１の外周面は、シャフト２７Ｂの内周面Ｂ１２に接触している。
【００９９】
図８（ａ）に示すように、カップリング２２は、さらに、第１筒状部２２Ｄと、図８（ｂ）に示す第２筒状部２２Ｅとを有している。第１筒状部２２Ｄおよび第２筒状部２２Ｅは、円筒状である。第２筒状部２２Ｅの外径は、第１筒状部２２Ｄの外径よりも大きい。第２筒状部２２Ｅの内径は、第１筒状部２２Ｄの内径よりも大きい。
【０１００】
カップリング２２は、仕切壁２２Ｆを有する。仕切壁２２Ｆは、第２筒状部２２Ｅと第１筒状部２２Ｄの間に位置する。仕切壁２２Ｆは、第２筒状部２２Ｅ内の空間と第１筒状部２２Ｄ内の空間とを仕切る。第１筒状部２２Ｄおよび仕切壁２２Ｆは、第１凹部２２Ａを形成する。また、第２筒状部２２Ｅおよび仕切壁２２Ｆは、第２凹部２２Ｊを形成する。第２筒状部２２Ｅは、シャフト２７Ｂの外周面Ｂ１１（図６参照）に嵌り込んで、シャフト２７Ｂで回転可能に支持されている。
【０１０１】
カップリング２２は、第１突出片２２Ｇと、第２突出片２２Ｈを有する。第１突出片２２Ｇおよび第２突出片２２Ｈは、第２凹部２２Ｊ内に位置する。第１突出片２２Ｇおよび第２突出片２２Ｈは、仕切壁２２Ｆから突出する。第１突出片２２Ｇは、第１カップリング面ＦＰ１と、第３カップリング面ＦＰ３と、第５カップリング面ＦＰ５とを有している。
【０１０２】
第１カップリング面ＦＰ１は、クラッチ４０が第１回転方向Ｄ１に回転するときにクラッチ４０を第１位置から第２位置に向けて移動させるための面である。第１カップリング面ＦＰ１は、第１回転方向Ｄ１の下流側を向いている。第１カップリング面ＦＰ１は、カップリング２２の回転方向に対して傾斜している。詳しくは、図８（ｄ）に示すように、第１カップリング面ＦＰ１は、第１回転方向Ｄ１に向かうにつれて仕切壁２２Ｆから離れるように傾斜している。
【０１０３】
第３カップリング面ＦＰ３は、カップリング２２が第２回転方向Ｄ２に回転するときにクラッチ４０を第２位置から第１位置に向けて移動させるための面である。第３カップリング面ＦＰ３は、第２回転方向Ｄ２の下流側を向いている。第３カップリング面ＦＰ３は、カップリング２２の回転方向に対して傾斜している。詳しくは、第３カップリング面ＦＰ３は、第２回転方向Ｄ２に向かうにつれて仕切壁２２Ｆに近づくように傾斜している。第３カップリング面ＦＰ３は、クラッチ４０の第２壁４５の端部に接触する。
【０１０４】
第５カップリング面ＦＰ５は、カップリング２２が第２回転方向Ｄ２に回転するときに、クラッチ４０の第２壁４５と回転方向で接触する面である。第５カップリング面ＦＰ５は、第３カップリング面ＦＰ３よりも仕切壁２２Ｆから離れた位置に位置している。第５カップリング面ＦＰ５は、カップリング２２の回転方向に対して交差している。より好ましくは、第５カップリング面ＦＰ５は、カップリング２２の回転方向に対して直交している。
【０１０５】
図８（ｃ）に示すように、第２突出片２２Ｈは、第２カップリング面ＦＰ２と、第４カップリング面ＦＰ４と、第６カップリング面ＦＰ６とを有している。第２カップリング面ＦＰ２は、第１カップリング面ＦＰ１と同様の形状である。第４カップリング面ＦＰ４は、第３カップリング面ＦＰ３と同様の形状である。第６カップリング面ＦＰ６は、第５カップリング面ＦＰ５と同様の形状である。第２カップリング面ＦＰ２は、第２軸２２Ｘを挟んで第１カップリング面ＦＰ１に対して反対側に位置している。
【０１０６】
第２カップリング面ＦＰ２は、クラッチ４０が第１回転方向Ｄ１に回転するときにクラッチ４０を第１位置から第２位置に向けて移動させるための面である。第２カップリング面ＦＰ２は、第１回転方向Ｄ１の下流側を向いている。第２カップリング面ＦＰ２は、カップリング２２の回転方向に対して傾斜している。詳しくは、図８（ｄ）に示すように、第２カップリング面ＦＰ２は、第１回転方向Ｄ１に向かうにつれて仕切壁２２Ｆから離れるように傾斜している。
【０１０７】
第４カップリング面ＦＰ４は、カップリング２２が第２回転方向Ｄ２に回転するときにクラッチ４０を第２位置から第１位置に向けて移動させるための面である。第４カップリング面ＦＰ４は、第２回転方向Ｄ２の下流側を向いている。第４カップリング面ＦＰ４は、カップリング２２の回転方向に対して傾斜している。詳しくは、第４カップリング面ＦＰ４は、第２回転方向Ｄ２に向かうにつれて仕切壁２２Ｆに近づくように傾斜している。第４カップリング面ＦＰ４は、クラッチ４０の第１壁４３の端部に接触する。
【０１０８】
第６カップリング面ＦＰ６は、カップリング２２が第２回転方向Ｄ２に回転するときに、クラッチ４０の第１壁４３と回転方向で接触する面である。第６カップリング面ＦＰ６は、第４カップリング面ＦＰ４よりも仕切壁２２Ｆから離れた位置に位置している。第６カップリング面ＦＰ６は、カップリング２２の回転方向に対して交差している。より好ましくは、第６カップリング面ＦＰ６は、カップリング２２の回転方向に対して直交している。
【０１０９】
次に、カップリング２２、クラッチ４０およびシャフト２７Ｂの作用について図９および図１０を参照して説明する前に、第１カップリング面ＦＰ１等の軸方向の長さの関係について説明する。なお、図９および図１０においては、図面を見やすくするために、カップリング２２などの構造を簡略化し、一部の部位を省略または破断して図示している。
【０１１０】
図１０（ｂ）に示すように、第１カップリング面ＦＰ１および第２カップリング面ＦＰ２の軸方向の長さは、第２シャフト面ＦＳ２の軸方向の長さよりも大きくなっている。これにより、クラッチ４０が第２位置に位置するときに、クラッチ４０の各第２突起Ｐ２の先端を、シャフト２７Ｂの各第１突起Ｐ１の先端から軸方向に間隔を空けて位置することが可能となっている。
【０１１１】
また、第３カップリング面ＦＰ３および第４カップリング面ＦＰ４の軸方向の長さは、第２シャフト面ＦＳ２の軸方向の長さよりも大きくなっている。これにより、クラッチ４０が第１位置に位置するときに、クラッチ４０の各第２突起Ｐ２とシャフト２７Ｂの各第１突起Ｐ１の噛み合い量を大きくすることが可能となっている。
【０１１２】
また、第１カップリング面ＦＰ１および第２カップリング面ＦＰ２の軸方向の長さは、第３カップリング面ＦＰ３および第４カップリング面ＦＰ４の軸方向の長さよりも大きくなっている。
【０１１３】
次に、カップリング２２、クラッチ４０およびシャフト２７Ｂの作用について説明する。なお、以下の説明では、ドラムカートリッジ５に現像カートリッジ１０が装着された状態におけるカップリング２２、クラッチ４０およびシャフト２７Ｂの作用について説明する。つまり、押圧部材５Ｃによって現像ローラ１２が感光体ドラム５Ｂに押圧された状態においてカップリング２２が第１回転方向Ｄ１または第２回転方向Ｄ２に回転する場合の各部材の作用について説明する。
【０１１４】
図９（ａ），（ｂ）に示すように、クラッチ４０が第１位置に位置するときには、カップリング２２の第５カップリング面ＦＰ５および第６カップリング面ＦＰ６が、クラッチ４０の第２壁４５の第４面４５Ｂおよび第１壁４３の第２面４３Ｂに回転方向で係合している。また、クラッチ４０の第１クラッチ面ＦＣ１がシャフト２７Ｂの第１シャフト面ＦＳ１に回転方向に係合している。そのため、このような状態において、例えば、カップリング２２が第２回転方向Ｄ２に回転されようとしても、第５カップリング面ＦＰ５および第６カップリング面ＦＰ６と第４面４５Ｂおよび第２面４３Ｂとの係合により、カップリング２２は第２回転方向には回転しない。これにより、現像ローラ１２の逆回転を抑えることができる。
【０１１５】
なお、両面印刷が可能な画像形成装置として、用紙の両面印刷を行う場合に、画像形成部で用紙の表面に画像を形成し、その後用紙の表裏を反転させて画像形成部の上流側に戻した後に用紙の裏面に画像を形成するものが知られている。このような画像形成装置では、用紙への画像形成時には、感光体ドラムを所定方向に回転させ、用紙の表裏を反転させる際には、感光体ドラムを所定方向とは逆方向に回転させる場合がある。このような場合、逆回転する感光体ドラムに追従するように現像ローラが逆回転する場合がある。このような場合であっても、本実施形態に係る構造では、現像ローラ１２の逆回転を止めることができる。詳しくは、本実施形態において、現像ローラ１２が逆回転した場合には、現像ギヤ２３と噛み合うカップリング２２が第２回転方向Ｄ２に回転するが、このカップリング２２の回転は、各突起Ｐ１，Ｐ２の係合によって回転が止められたクラッチ４０によって止められる。これにより、現像ローラ１２の逆回転を抑えることができる。
【０１１６】
図９（ａ），（ｂ）の状態からカップリング２２が駆動力を受けて、カップリング２２が第１回転方向Ｄ１に回転すると、カップリング２２の第１カップリング面ＦＰ１および第２カップリング面ＦＰ２が、クラッチ４０の第３クラッチ面ＦＣ３および第４クラッチ面ＦＣ４を第１回転方向Ｄ１に押す。これにより、クラッチ４０が、カップリング２２とともに第１回転方向Ｄ１に回転する。
【０１１７】
このようにクラッチ４０が第１回転方向Ｄ１に回転すると、複数の第２突起Ｐ２の各第２クラッチ面ＦＣ２が複数の第１突起Ｐ１の各第２シャフト面ＦＳ２に接触することで、各第２シャフト面ＦＳ２によってクラッチ４０が第１方向の一方側に押されて第１位置から第２位置に向けて移動する。これにより、各第２突起Ｐ２が各第１突起Ｐ１から軸方向に外れる。つまり、各第２突起Ｐ２と各第１突起Ｐ１の係合が解除される。その後、カップリング２２の第１カップリング面ＦＰ１および第２カップリング面ＦＰ２がクラッチ４０の第３クラッチ面ＦＣ３および第４クラッチ面ＦＣ４を第２位置に向けて押圧する。これにより、図１０（ａ），（ｂ）に示すように、クラッチ４０が第２位置に位置する。この状態では、各第２突起Ｐ２が各第１突起Ｐ１から軸方向に間隔を空けて位置するので、クラッチ４０の回転が各第１突起Ｐ１で止められることなく、カップリング２２がクラッチ４０とともに回転する。そのため、駆動力を良好に伝達することができる。
【０１１８】
図１０（ａ），（ｂ）の状態から感光体ドラム５Ｂの逆回転などによってカップリング２２が第２回転方向Ｄ２に回転すると、カップリング２２の第３カップリング面ＦＰ３および第４カップリング面ＦＰ４が、クラッチ４０の第２壁４５および第１壁４３の各端部４５Ｃ，４３Ｃに接触する。これにより、第３カップリング面ＦＰ３および第４カップリング面ＦＰ４によってクラッチ４０が各第１突起Ｐ１に向けて押圧されて移動する。第３カップリング面ＦＰ３および第４カップリング面ＦＰ４とクラッチ４０との係合が解除されると、図１０（ｂ）に示すように、複数の第２突起Ｐ２の各第１クラッチ面ＦＣ１が複数の各第１突起Ｐ１の各第１シャフト面ＦＳ１に接触する。これにより、各第１シャフト面ＦＳ１によって、クラッチ４０の第２回転方向Ｄ２への回転が止められる。
【０１１９】
その後、カップリング２２が若干第２回転方向Ｄ２に回転すると、第５カップリング面ＦＰ５および第６カップリング面ＦＰ６が、クラッチ４０の第２壁４５および第１壁４３に接触する。これにより、第１シャフト面ＦＳ１によって回転が止められたクラッチ４０の各壁３３，３５によって、カップリング２２の第２回転方向Ｄ２への回転が止められる。
【０１２０】
なお、上述したような各部材の作用は、ドラムカートリッジ５から現像カートリッジ１０が外された状態でも同様に発揮される。
【０１２１】
以上によれば、本実施形態において以下のような効果を得ることができる。
カップリング２２が所定の回転方向（第１回転方向Ｄ１）とは逆方向（第２回転方向Ｄ２）に回転するのを抑えることができるので、現像ローラ１２の逆回転によってトナーが漏れるのを抑えることができる。
【０１２２】
複数の第２突起Ｐ２の各第１クラッチ面ＦＣ１が複数の第１突起Ｐ１の各第１シャフト面ＦＳ１に接触することで、カップリング２２およびクラッチ４０の回転が止められるので、カップリング２２の回転を良好に止めることができる。
【０１２３】
第１カップリング面ＦＰ１および第２カップリング面ＦＰ２の軸方向の長さを、第２シャフト面ＦＳ２の軸方向の長さよりも大きくすることで、クラッチ４０を第１突起Ｐ１から軸方向に離すことができる。そのため、カップリング２２をクラッチ４０とともに第１回転方向Ｄ１に回転させる場合において、クラッチ４０の各第２突起Ｐ２とシャフト２７Ｂの各第１突起Ｐ１とが干渉するのを抑えることができる。
【０１２４】
第１カップリング面ＦＰ１および第２カップリング面ＦＰ２が第２軸２２Ｘを挟む位置に配置されるので、各カップリング面ＦＰ１，ＦＰ２によって、クラッチ４０をバランスよく第２位置に向けて押圧することができ、クラッチ４０を第２位置に良好に移動させることができる。
【０１２５】
以上、本開示の実施形態について説明したが、本開示は前記実施形態に限定されるものではない。具体的な構成については、本開示の趣旨を逸脱しない範囲で適宜変更が可能である。
【０１２６】
前記実施形態では、シャフト２７Ｂが複数の第１突起Ｐ１を備え、クラッチ４０が複数の第２突起Ｐ２を備えるが、これに限定されない。例えば、シャフトは、１つの第１突起を備えていてもよい。また、クラッチ４０は、１つの第２突起を備えていてもよい。また、第１突起Ｐ１は、第１シャフト面ＦＳ１および第２シャフト面ＦＳ２を備えるが、これに限定されない。例えば、一の突起が第１シャフト面を備えていてもよい。また、一の突起とは別の突起が、第２シャフト面を備えていてもよい。同様に、一の突起が第１クラッチ面を備えていてもよい。また、一の突起とは別の突起が、第２クラッチ面を備えていてもよい。
【０１２７】
前記実施形態では、第２シャフト面ＦＳ２と第２クラッチ面ＦＣ２の両方が、回転方向に対して傾斜する傾斜面であるが、これに限定されず、第２シャフト面および第２クラッチ面のいずれか一方が傾斜面であってもよい。
【０１２８】
前記実施形態では、カップリング２２は、クラッチ４０を第２位置に向けて移動させるための面（ＦＰ１，ＦＰ２）を２つ備えたが、これに限定されず、クラッチ４０を第２位置に向けて移動させるための面は、１つでもよいし、３つ以上であってもよい。
【０１２９】
前記実施形態では、第１カップリング面ＦＰ１と第３クラッチ面ＦＣ３の両方が、回転方向に対して傾斜する傾斜面であるが、これに限定されず、第１カップリング面および第３クラッチ面のいずれか一方が傾斜面であってもよい。同様に、第２カップリング面および第４クラッチ面のいずれか一方が傾斜面であってもよい。
【０１３０】
前記実施形態では、第１軸受部材２７がシャフト２７Ｂを備えていたが、これに限定されず、例えば、筐体１１がシャフト２７Ｂを備えてもよい。なお、この場合、第１軸受部材２７が、シャフト２７Ｂが通る孔を有してもよい。
【０１３１】
前記実施形態では、現像カートリッジ１０は、ドラムカートリッジ５と別体に構成されていたが、一体に構成されていても構わない。
【０１３２】
前記実施形態では、画像形成装置の一例としてモノクロのレーザプリンタ１を例示したが、画像形成装置はカラーの画像形成装置であってもよいし、ＬＥＤにより露光するものであってもよいし、コピー機や複合機であってもよい。
【０１３３】
前記した各実施形態および各変形例の各要素は、任意に組み合わせて実施することが可能である。
【符号の説明】
【０１３４】
１０    現像カートリッジ
１２    現像ローラ
１２Ｘ  第１軸
２２    カップリング
２２Ｘ  第２軸
２７Ｂ  シャフト
４０    クラッチ
【図１】
2018189680.tif 000003
【図２】
2018189680.tif 000004
【図３】
2018189680.tif 000005
【図４】
2018189680.tif 000006
【図５】
2018189680.tif 000007
【図６】
2018189680.tif 000008
【図７】
2018189680.tif 000009
【図８】
2018189680.tif 000010
【図９】
2018189680.tif 000011
【図１０】
2018189680.tif 000012